(57)【要約】      （修正有）【課題】良好な清掃効率及びゴミ粘着テープの利用効率を達成させるローラークリーニングツールを提供する。【解決手段】ローラークリーニングツールは、本体１０にローラー２０が軸着され、ローラー２０の縁箇所には凹部２２が設けられ、固定バー２４が凹部２２に対応するように装入される。ゴミ粘着テープはその両端がローラー２０の凹部２２の上方箇所に重置される方式によりローラー２０の縁を巻回させ、固定バー２４が凹部２２に装入され、ゴミ粘着テープがローラー２０表面に固定される。ローラー２０表面のゴミ粘着テープはローラー２０の回転に追随して塵、毛髪、糸くず等のゴミに覆い被さり、塵、毛髪、糸くず等のゴミを吸着させる。【選択図】図４
0003213247.tif 000002
【実用新案登録請求の範囲】
【請求項１】
手で持つための本体を有し、前記本体には前記本体に対して回転するローラーが軸着されるローラークリーニングツールであって、
前記ローラーの縁箇所には前記ローラーの両端に向けて延伸するように配置される凹部が設けられ、前記ローラーの両端の前記凹部に近接する位置にはフック部がそれぞれ設けられ、且つ固定バーが前記凹部に対応するように装入されることを特徴とするローラークリーニングツール。
【請求項２】
前記本体は前記ローラーの軸線にやや垂直になる把持部が設置される構造形態を呈することを特徴とする、請求項１に記載のローラークリーニングツール。
【請求項３】
前記本体は前記ローラーの軸線にやや平行する把持部が設置される構造形態を呈することを特徴とする、請求項１に記載のローラークリーニングツール。
【請求項４】
前記本体は把持するためのカバーが設置される構造形態を呈することを特徴とする、請求項１に記載のローラークリーニングツール。
【請求項５】
前記固定バーの一端は前記ローラーに枢設され、前記固定バーの前記ローラーに枢設されるのとは別の一端は前記ローラーの端縁から所定の長さが延出されることを特徴とする、請求項１乃至４の何れか１項に記載のローラークリーニングツール。
【請求項６】
前記ローラーの何れかの一端には前記凹部の両側の内壁箇所にピボット孔がそれぞれ対応するように設けられ、前記固定バーの何れかの一端には前記ローラーのピボット孔に対応するように装入されるピボット軸がそれぞれ凸設され、前記固定バーのピボット軸が設置されるのとは別の一端は前記ローラーの端縁から所定の長さが延出されることを特徴とする、請求項１乃至４の何れか１項に記載のローラークリーニングツール。
【請求項７】
前記ローラーの何れかの一端には前記凹部の両側の内壁箇所にピボット孔がそれぞれ対応するように設けられ、前記固定バーの何れかの一端には前記ローラーのピボット孔に対応するように装入されるピボット軸がそれぞれ凸設され、前記ローラーのピボット孔が設けられるのとは別の一端には前記凹部の何れかの一側の内壁箇所に孔部が設けられ、前記固定バーのピボット軸が設置されるのとは別の一端には前記ローラーの孔部に対応するように係入されるバックルが設置され、前記固定バーのピボット軸が設置される他端は前記ローラーの端縁から所定の長さが延出されることを特徴とする、請求項１乃至４の何れか１項に記載のローラークリーニングツール。
【請求項８】
前記ローラーの両端には前記本体に軸着されるカップリング部がそれぞれ設けられることを特徴とする、請求項１乃至４の何れか１項に記載のローラークリーニングツール。
【請求項９】
前記ローラーは複数のローラー本体が結合されることにより形成されることを特徴とする、請求項１乃至４の何れか１項に記載のローラークリーニングツール。
【考案の詳細な説明】
【技術分野】
【０００１】
本考案は、クリーニングツールに関し、より詳しくは、消費者が自分でゴミ粘着テープをローラーに装設させ、好ましい清掃効率及びゴミ粘着テープの利用効率を達成させるローラークリーニングツールに関する。
【背景技術】
【０００２】
一般的な住宅では、商業区域またはオフィスの清掃作業において、通常は箒を使用して塵や屑を掃除する。より小さな塵やゴミは掃除機で吸引するか、或いは雑巾や従来のモップで水拭きし、徹底的に掃除する。
【０００３】
掃除機はコストが高く、集塵ボックスやフィルターの清掃作業が面倒である。また、従来のモップや雑巾は操作上同様に相当不便である。このため、業者ではゴミ粘着テープを換装して使用可能な乾式モップを開発した。主にゴミ粘着テープの静電吸着作用を利用し、毛髪、紙屑、塵等の汚物を吸着して掃除する目的を達成する。
【考案の概要】
【考案が解決しようとする課題】
【０００４】
しかしながら、従来の乾式モップの多くはゴミ粘着テープが板状のモップヘッドに狭装されて使用されるようになっている。モップヘッドが往復拭き掃除を行う過程において、モップヘッドの前後の辺縁のゴミ粘着テープにのみ汚物が付着するため、予期した清掃効率及びゴミ粘着テープの利用効率が得られなかった。
【０００５】
なお、市場には他のローラー式の除塵ツールも存在する。ロール状の粘着テープがハンドルの末端に貫設され、粘着テープの粘性を利用して使用者が衣類、絨毯、またはフローリングの塵、毛髪、糸くず等のゴミを粘着できるようになっている。但し、従来のロール状の粘着テープがハンドルの末端に貫設される除塵ツールは、実際の使用において、毎回利用する毎にその表面積が、外層の粘着テープが破り取られることで減っていった。また、使用過程において、ロール状の粘着テープの両端の辺縁には塵、毛髪、糸くず等のゴミが絶えず粘着して積もっていった。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、消費者が自分で市販されるゴミ粘着テープをローラーに装設でき、好ましい清掃効率及びゴミ粘着テープの利用効率を達成させるローラークリーニングツールを提供することを主目的とする。
【課題を解決するための手段】
【０００８】
上述した課題を解決し、上記目的を達成するため、本考案に係るローラークリーニングツールの特徴は、手で持つための本体を有し、前記本体には前記本体に対して回転するローラーが軸着される。前記ローラーの縁箇所には前記ローラーの両端に向けて延伸されるように配置される凹部が設けられ、前記ローラーの両端の前記凹部に近接する位置にはフック部がそれぞれ設けられ、且つ固定バーが前記凹部に対応するように装入される。
【０００９】
本考案に係るローラークリーニングツールは、使用において、固定バー及び凹部の設計により、または輪ゴムの両端がフック部に引っ掛けられる方式により、市販されるゴミ粘着テープがローラーの表面に高速且つ堅固に固定される。消費者は本体を手に持つだけでローラーを塵、毛髪、糸くず等のゴミのある方向に回転させることができる。ローラーの表面のゴミ粘着テープは除塵布がローラーの回転に追随して塵、毛髪、糸くず等のゴミに覆い被さり、塵、毛髪、糸くず等のゴミを吸着させ、好ましい清掃効率及びゴミ粘着テープの利用効率を達成させる。
【００１０】
好ましくは、前記本体は前記ローラーの軸線にやや垂直になる把持部が設置される構造形態を呈する。
【００１１】
好ましくは、前記本体は前記ローラーの軸線にやや平行する把持部が設置される構造形態を呈する。
【００１２】
好ましくは、前記本体は把持するためのカバーが設置される構造形態を呈する。
【００１３】
好ましくは、前記固定バーの一端は前記ローラーに枢設され、前記固定バーの前記ローラーに枢設されるのとは別の一端は前記ローラーの端縁から所定の長さが延出される。
【００１４】
好ましくは、前記ローラーの何れかの一端には前記凹部の両側の内壁箇所にピボット孔がそれぞれ対応するように設けられ、前記固定バーの何れかの一端には前記ローラーのピボット孔に対応するように装入されるピボット軸がそれぞれ凸設される。前記固定バーのピボット軸が設置される他端は前記ローラーの端縁から所定の長さが延出される。
【００１５】
好ましくは、前記ローラーの何れかの一端には前記凹部の両側の内壁箇所にピボット孔がそれぞれ対応するように設けられ、前記固定バーの何れかの一端には前記ローラーのピボット孔に対応するように装入されるピボット軸がそれぞれ凸設される。前記ローラーのピボット孔が設けられる他端には前記凹部の何れかの一側の内壁箇所に孔部が設けられ、前記固定バーのピボット軸が設置される他端には前記ローラーの孔部に対応するように係入されるバックルが設置される。前記固定バーのピボット軸が設置される他端は前記ローラーの端縁から所定の長さが延出される。
【００１６】
好ましくは、前記ローラーの両端には前記本体に軸着されるカップリング部がそれぞれ設けられる。
【００１７】
好ましくは、前記ローラーは複数のローラー本体が結合されることにより形成される。
【考案の効果】
【００１８】
本考案のローラークリーニングツールは、固定バー及び凹部の設計により、または輪ゴムの両端がフック部に引っ掛けられる方式により、市販されるゴミ粘着テープがローラーの表面に高速且つ堅固に固定される。ゴミ粘着テープはローラーの回転に追随して塵、毛髪、糸くず等のゴミに覆い被さり、塵、毛髪、糸くず等のゴミを吸着させる。これにより、好ましい清掃効率及びゴミ粘着テープの利用効率を達成させる。
【図面の簡単な説明】
【００１９】
【図１】本考案の実施可能形態１に係るローラークリーニングツールを示す外観斜視図である。
【図２】本考案の好ましいローラー構成を示す分解図である。
【図３】本考案の固定バ−及びローラーのピボット方法を示す概略図である。
【図４】本考案のローラー及びローラーのピボット方法を示す概略図である。
【図５】本考案のローラークリーニングツールのゴミ粘着テープの一端に掛け巡らされてる状態での操作を示す概略図である。
【図６】本考案のローラークリーニングツールのゴミ粘着テープの両端がローラーの凹部の上に重なり合う状態での操作を示す概略図である。
【図７】本考案のローラークリーニングツールが固定バ−を確かに凹部を詰め込まれる状態での操作を示す概略図である。
【図８】本考案の実施可能形態１のローラークリーニングツールがゴミ粘着テープの装設を完了した後を示す外観斜視図である。
【図９】本考案のローラークリーニングツールがゴミ粘着テープの装設を完了した一部を示す拡大の概略図である。
【図１０】本考案のローラークリーニングツールが輪ゴムによりゴミ粘着テープの装設を完了した一部を示す拡大の概略図である。
【図１１】本考案の実施可能形態２に係るローラークリーニングツールを示す外観斜視図である。
【図１２】本考案の実施可能形態３に係るローラークリーニングツールを示す外観斜視図である。
【考案を実施するための形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００２１】
以下、本考案の実施形態を図１〜１２に基づいて説明する。本考案は主に消費者が自分で市販のゴミ粘着テープをローラーに装設させ、好ましい清掃効率及びゴミ粘着テープの利用効率を達成させるローラークリーニングツールを提供する（図１乃至図４参照）。本考案のローラークリーニングツールは、手で持つための本体１０を有し、前記本体１０には前記本体１０に対して回転するローラー２０が軸着される。実施において、前記本体１０及び前記ローラー２０は個別にプラスチック成形される。
【００２２】
本考案の特徴は、前記ローラー２０の縁箇所に前記ローラー２０の両端に向けて延伸されるように配置される凹部２２が設けられ、前記ローラー２０の両端の前記凹部２２に近接する位置にはフック部２３がそれぞれ設けられる。また、固定バー２４が前記凹部２２に対応するように装入される。前記固定バー２４の厚さは前記凹部２２の深さより薄くすることが好ましい。実施においては、前記ローラー２０は複数のローラー本体２１が結合されることにより形成され、離型しやすくなり、ローラー２０の軽量化及び材料コストの削減という目的を達成させる。
【００２３】
上述の図１乃至図４に示される実施形態では、前記本体１０は前記ローラー２０の軸線にやや垂直になる把持部１１が設置される構造形態を呈し、ローラークリーニングツール全体がモップの商品形態を呈する。当然ながら、前記本体１０は図１１に示されるように、前記ローラー２０の軸線にやや平行する把持部１２が設置される構造形態を呈し、ローラークリーニングツール全体が商品形態を呈しても良い。或いは、前記本体１０が図１２に示されるように、把持されるカバー１３が設置される構造形態を呈し、ローラークリーニングツール全体が携帯に便利で、手に持って使用しやすい商品形態を呈しても良い。
【００２４】
原則として、考案のローラークリーニングツールは使用において、消費者が固定バーを凹部から取り外した状態で、図５及び図６に示されるように、市販のゴミ粘着テープ３０がその両端をローラー２０の凹部２２の上方箇所に重置される方式で前記ローラー２０の縁を巻回させ、その後に固定バー２４が凹部２２に装入され、高速且つ堅固にゴミ粘着テープ３０がローラー２０の表面に固定される。
【００２５】
消費者は本体１０を手に持つのみでローラー２０を塵、毛髪、糸くず等のゴミのある方向に向けて回転させることができる(図８参照)。ローラー２０の表面のゴミ粘着テープ３０は除塵布がローラー２０の回転に従って塵、毛髪、糸くず等のゴミに覆い被さり、塵、毛髪、糸くず等のゴミが吸着され、好ましい清掃効率及びゴミ粘着テープの利用効率を達成させる。
【００２６】
特に、使用過程では、固定バー２４の上面が完全にローラー２０の凹部２２内に隠されるため(図９参照)、ローラー２０の回転中で飛び跳ねたり、フローリングを傷付けることがない。また、ローラー２０の表面のゴミ粘着テープ３０が静電作用によりローラー２０の表面に確実に貼着され、勝手に縒れたり脱離しない。構造全体がより堅固になるほか、好ましい操作感が更に得られる。
【００２７】
また、本考案のローラークリーニングツールは、上述の実施可能な各形態において、前記固定バー２４の一端が前記ローラー２０に枢設され、前記固定バー２４の前記ローラー２０に枢設されるのとは別の一端は前記ローラー２０の端縁から所定の長さが延出されるのが好ましい(図７参照)。これにより、固定バー２４を凹部２２から取り外したり、或いは固定バー２４を凹部２２に装入する操作が行い易くなる。
【００２８】
実施において、前記ローラー２０の何れかの一端には前記凹部２２の両側の内壁箇所にピボット孔２５１がそれぞれ対応するように設けられ、図３及び図４に示されるように、前記固定バー２４の何れかの一端には前記ローラー２０のピボット孔２５１に対応するように装入されるピボット軸２４１がそれぞれ凸設される。前記固定バー２４のピボット軸２４１が設置されるのとは別の一端は前記ローラー２０の端縁から所定の長さが延出される。
【００２９】
なお、図２乃至図４に示されるように、本考案のローラークリーニングツールは、前記ローラー２０の何れかの一端には前記凹部２２の両側の内壁箇所にピボット孔２５１がそれぞれ対応するように設けられ、前記固定バー２４の何れかの一端には前記ローラー２０のピボット孔２５１に対応するように装入されるピボット軸２４１がそれぞれ凸設される構造形態を呈し、前記ローラー２０のピボット孔２５１が設置されるのとは別の一端には前記凹部２２の何れかの一側の内壁箇所に孔部２５２が設けられ、前記固定バー２４のピボット軸２４１が設けられるのとは別の一端には前記ローラー２０の孔部２５２に対応するように係入されるバックル２４２が設置され、バックル２４２及び孔部２５２の係合作用により、固定バー２４の定位効果が強化される。同様に、前記固定バー２４のピボット軸２４１が設置されるのとは別の一端は前記ローラー２０の端縁から所定の長さが延出されるのが好ましい。
【００３０】
また、本考案のローラークリーニングツールは、上述の実施可能な各形態において、図４に示されるように、前記ローラー２０の両端には前記本体に軸着されるカップリング部２６がそれぞれ設置され、ローラー２０及び本体１０の装設が行い易くなり、ローラー２０の回転もスムーズになる。
【００３１】
当然ながら、本考案のローラークリーニングツールは、図１０に示されるように、固定バー(図示せず)がローラー２０から完全に取り外された状態で、輪ゴム４０の両端がフック部２３に直接引っ掛けられる方式により、市販のゴミ粘着テープ３０がローラー２０の表面に高速且つ堅固に固定され、同様にローラークリーニングツール全体が正常な作動を維持させる。
【００３２】
具体的には、本考案のローラークリーニングツールは、使用において、固定バー及び凹部の設計により、または輪ゴムの両端がフック部に引っ掛けられる方式により、市販されるゴミ粘着テープがローラーの表面に高速且つ堅固に固定される。消費者は本体を手に持つのみでローラーを塵、毛髪、糸くず等のゴミのある方向に回転させることができる。ローラーの表面のゴミ粘着テープは除塵布がローラーの回転に追随して塵、毛髪、糸くず等のゴミに覆い被さり、塵、毛髪、糸くず等のゴミが吸着され、好ましい清掃効率及びゴミ粘着テープの利用効率を達成させる。
【００３３】
以上、本考案の実施形態について図面を参照して詳述したが、具体的な構成はこの実施形態に限られるものではなく、本考案の要旨を逸脱しない範囲の設計変更等も含まれる。
【符号の説明】
【００３４】
１０  本体
１１  把持部
１２  把持部
１３  カバー
２０  ローラー
２１  ローラー本体
２２  凹部
２３  フック部
２４  固定バー
２４１  ピボット軸
２４２  バックル
２５１  ピボット孔
２５２  孔部
２６  カップリング部
３０  ゴミ粘着テープ
４０  輪ゴム
【図１】
0003213247.tif 000003
【図２】
0003213247.tif 000004
【図３】
0003213247.tif 000005
【図４】
0003213247.tif 000006
【図５】
0003213247.tif 000007
【図６】
0003213247.tif 000008
【図７】
0003213247.tif 000009
【図８】
0003213247.tif 000010
【図９】
0003213247.tif 000011
【図１０】
0003213247.tif 000012
【図１１】
0003213247.tif 000013
【図１２】
0003213247.tif 000014